(57)【要約】【課題】簡単な構成及び操作で複数台の撮影装置間で同期連写処理を行う。【解決手段】カメラシステム１０は、デジタルカメラ１１とデジタルカメラ１２とで構成されている。デジタルカメラ１１，１２が連写モードに設定され、デジタルカメラ１１に連写条件が設定された後、デジタルカメラ１１のシャッタボタン３１が操作されると、連写条件データをエンコードして、シャッタ音の音声信号に重畳した合成音声信号が生成され、この合成音声信号がデジタルカメラ１１のスピーカ２８から出力される。デジタルカメラ１２のマイク２７によって合成音声信号が取得され、デジタルカメラ１２は、合成音声信号をデコードすることによって連写条件データを検出する。デジタルカメラ１１，１２は、この連写条件データに基づいて同期連写処理を実行する。【選択図】図１
2008236627.tif 000002
【特許請求の範囲】
【請求項１】
光電変換によって被写体像を撮像する撮像手段を各々に有する第１撮影装置と第２撮影装置とで構成される撮影システムにおいて、
前記第１撮影装置は、連写条件データをエンコードして、所定の音声信号に重畳して合成音声信号を生成する合成音声生成手段と、
前記合成音声信号を出力するスピーカと、
前記連写条件データに基づいて、前記撮像手段を制御して連写処理を実行する第１制御手段とを備え、
前記第２撮影装置は、音声信号を取得するマイクと、
前記マイクによって取得された前記合成音声信号をデコードして、前記連写条件データを検出するデータ検出手段と、
前記データ検出手段によって検出された前記連写条件データに基づいて、前記撮像手段を制御して連写処理を実行する第２制御手段と、
を備えていることを特徴とする撮影システム。
【請求項２】
前記連写条件データは、連写回数、連写スピード、シャッタスピード、及び絞り値を示す情報を含むことを特徴とする請求項１記載の撮影システム。
【請求項３】
前記第１撮影装置は、撮影指示を入力する撮影指示入力手段を備え、前記撮影指示入力手段によって前記撮影指示が入力された時に、前記合成音声信号が前記スピーカから出力されることを特徴とする請求項１または２に記載の撮影システム。
【請求項４】
前記第１及び第２撮影装置は、１回の撮影処理を行う通常撮影モードと、前記連写処理を行う連写モードとを有し、前記第１撮影装置が前記連写モードに設定された場合、前記スピーカは、前記通常撮影モード時と異なる特定の音声信号を出力し、
前記マイクによって前記特定の音声信号が取得された時に、前記第２制御手段が、前記第２撮影装置を前記連写モードに設定することを特徴とする請求項１ないし３のいずれか１項に記載の撮影システム。
【請求項５】
前記第２撮影装置は、前記連写条件テータを一時的に記憶する記憶手段を備えていることを特徴とする請求項１ないし４のいずれか１項に記載の撮影システム。
【請求項６】
前記スピーカは前記合成音声信号を各撮影前に出力し、前記第２制御手段は、前記連写条件データを各撮影前に取得することを特徴とする請求項１ないし５のいずれか１項に記載の撮影システム。
【請求項７】
前記第２制御手段は、撮影前に前回の連写条件データに基づいて前回の撮影が正しいか否かを判定し、前回の撮影が正しくない場合、前記連写条件データを更新することを特徴とする請求項６に記載の撮影システム。
【請求項８】
前記第２制御手段は、撮影前に前回の連写条件データに基づいて前回の撮影が正しいか否かを判定し、前回の撮影が正しくない場合、前回の撮影にて得られた画像データの補正処理または削除処理を実行することを特徴とする請求項６または７に記載の撮影システム。
【請求項９】
前記第１撮影装置は、各部へタイミング信号を出力する第１タイマーと、発光手段とを備え、
前記第２撮影装置は、各部へタイミング信号を出力する第２タイマーを備え、
前記第１制御手段は、前記第１タイマーからのタイミング信号に基づいて前記発光手段を制御して、特定のタイミングで点滅させ、
前記第２制御手段は、前記撮像手段を制御して前記特定のタイミングの点滅を検知して、前記第２タイマーを前記第１タイマーのタイミングに合わせることを特徴とする請求項１ないし８のいずれか１項に記載の撮影システム。
【請求項１０】
前記第１及び第２撮影装置は、正確な時刻情報を出力する計時手段を各々備え、前記連写条件データには、連写開始時刻情報及び連写タイミング情報が含まれており、前記第１及び第２制御手段は、前記連写開始時刻情報及び前記連写タイミング情報に基づいて前記連写処理を実行することを特徴とする請求項１ないし９のいずれか１項に記載の撮影システム。
【請求項１１】
前記第１撮影装置は第１無線通信手段、前記第２撮影装置は第２無線通信手段をそれぞれ備え、
前記第１及び第２撮影装置が無線設定モードに設定された場合、
前記第１制御手段は、前記合成音声生成手段を制御して、前記第１無線通信手段の通信設定情報をエンコードして、前記所定の音声信号に重畳して無線設定用の合成音声信号を生成させ、
前記第２制御手段は、前記データ検出手段を制御して前記通信設定情報を検出させて、前記通信設定情報に基づいて前記第２無線通信手段の通信設定を行うことを特徴とする請求項１ないし１０のいずれか１項に記載の撮影システム。
【請求項１２】
前記第２制御手段は、前記通信設定情報を取得した時に前記無線設定モードを解除するとともに、前記第２無線通信手段を制御して前記通信設定情報が受信されたことを示す通知を前記第２撮影装置に送信することを特徴とする請求項１ないし１１のいずれか１項に記載の撮影システム。
【請求項１３】
前記第１制御手段は、前記第１無線通信手段によって前記通知を受信した時に前記無線設定モードを解除することを特徴とする請求項１２に記載の撮影システム。
【請求項１４】
前記第１及び第２撮影装置には、ユーザの音声信号が予め登録され、前記合成音声生成手段は、前記ユーザの音声信号に前記通信設定情報のエンコードデータを重畳し、前記第２制御手段は、前記ユーザの音声信号が一致した場合のみ、前記第２無線通信手段の通信設定を行うことを特徴とする請求項９ないし１３のいずれか１項に記載の撮影システム。
【請求項１５】
前記スピーカによって、前記合成音声信号を出力する場合、前記第１制御手段は、前記スピーカの音量またはデコードデータの強度を適宜変更することを特徴とする請求項１ないし１４のいずれか１項に記載の撮影システム。
【請求項１６】
前記第２撮影装置には、前記第１撮影装置の識別情報が予め登録されており、前記識別情報が前記連写条件データに付加され、前記第２制御手段は、前記識別情報が一致した場合のみ前記連写条件データを設定することを特徴とする請求項１ないし１５のいずれか１項に記載の撮影システム。
【請求項１７】
前記第１制御手段は、発光手段を予め決められた信号パターンに従って点滅させることによって、前記識別情報を前記第２撮影装置へ送信し、前記第２制御手段は、前記撮像手段を制御することによって、前記識別情報を取得することを特徴とする請求項１６に記載の撮影システム。
【請求項１８】
前記識別情報は、無線通信手段によって前記第１撮影装置から前記第２撮影装置へ送信されることを特徴とする請求項１６に記載の撮影システム。
【請求項１９】
前記第１及び第２撮影装置に着脱自在に装填され画像データが記録される記録メディアが、前記第１撮影装置に装填されている時に、前記第１制御手段が前記識別情報を前記記録メディアに記録し、前記第２撮影装置に前記記録メディアが装填された時に、前記第２制御手段が、前記記録メディアから前記識別情報を取得することを特徴とする請求項１６に記載の撮影システム。
【請求項２０】
前記第１制御手段は、表示手段を制御して前記識別情報を表示させ、前記第２制御手段は、前記撮像手段を制御して前記表示手段を撮像することによって前記識別情報を取得することを特徴とする請求項１６に記載の撮影システム。
【請求項２１】
前記撮影指示入力手段は、半押し操作時にＯＮになる第１スイッチと、全押し操作時にＯＮとなる第２スイッチとを有し、
前記第１制御手段は、前記第１スイッチがＯＮになった時に前記スピーカから前記合成音声信号を出力させ、
前記第２スイッチがＯＮになった時に、前記スピーカから撮影開始のタイミングを示す音声のみを出力させることを特徴とする請求項３ないし２０のいずれか１項に記載の撮影システム。
【請求項２２】
前記第２撮影装置は、連写準備の完了を通知する通知手段を備え、
前記第２制御手段は、前記第１撮影装置から取得した前記連写条件データに基づく前記連写準備の完了後、前記通知手段を制御して前記連写準備の完了を前記第１撮影装置へ通知し、
前記第１制御手段は、前記通知を取得した後、前記スピーカから撮影開始のタイミングを示すシャッタ音のみを出力させることを特徴とする請求項１ないし２１のいずれか１項に記載の撮影システム。
【請求項２３】
光電変換によって被写体像を撮像する撮像手段を備えた撮影装置において、
連写条件データをエンコードして、所定の音声信号に重畳して合成音声信号を生成する合成音声生成手段と、
前記合成音声信号を出力するスピーカと、
前記連写条件データに基づいて、前記撮像手段を制御して連写処理を実行する制御手段とを備えていることを特徴とする撮影装置。
【請求項２４】
光電変換によって被写体像を撮像する撮像手段を備えた撮影装置において、
前記スピーカから出力された音声を音声信号として取得するマイクと、
前記マイクによって取得された音声信号をデコードして、前記連写条件データを検出するデータ検出手段と、
前記データ検出手段によって検出された前記連写条件データに基づいて、前記撮像手段を制御して連写処理を実行する制御手段とを備えていることを特徴とする撮影装置。
【発明の詳細な説明】
【技術分野】
【０００１】
本発明は、複数台の撮影装置で同期連写を行うことが可能な撮影システム、及びこれに用いられる撮影装置に関する。
【背景技術】
【０００２】
従来、デジタルカメラ等の撮影装置を遠隔操作するシステムとして、例えば、監視カメラを用いる監視システムが一般的である。しかし、このような監視システムでは、遠隔操作用の装置が大型、且つ高価であるという問題があった。このような問題を解決するために、複数のデジタルカメラ間を有線接続し、これらの間で操作信号の授受を行って相互で遠隔操作することを可能にした撮影システムが知られている（例えば、特許文献１参照）。
【０００３】
また、複数の撮影者の間で、共通した撮影意図の下で撮影を行うことを容易にするために、撮影装置で撮影行った際の撮影情報を別の撮影装置に送信して、この撮影情報を撮影時の支援情報として利用する撮影システムが知られている（例えば、特許文献２参照）。また、このような撮影システムを利用して、複数台の撮影装置を同期させて連写処理を行うことが考えられている。
【特許文献１】特開平８−８４２８２号公報
【特許文献２】特開２００１−８０８９号公報
【発明の開示】
【発明が解決しようとする課題】
【０００４】
しかしながら、上記特許文献１に記載の撮影システムを用いて同期連写処理を実現しようとしても、撮影装置間をケーブルで接続するために、特別に通信モジュールが設ける必要があって製造コストが高くなるという問題や、ケーブルの携帯やケーブルの接続等の作業が面倒であるという問題があった。また、上記特許文献２に記載の撮影システムを用いて同期連写処理を実現しようとしても、撮影情報を無線通信によって送信するために、特別に通信モジュールを設ける必要があって製造コストが高くなるという問題や、ユーザが行う通信設定が面倒であるという問題があった。
【０００５】
本発明は、上記事情に鑑みてなされたものであり、簡単な構成及び操作で複数台の撮影装置間で同期連写処理を行うことが可能な撮影システム、及びこれに用いられる撮影装置を低コストで提供することを目的とする。
【課題を解決するための手段】
【０００６】
上記課題を解決するために、本発明の撮影システムは、光電変換によって被写体像を撮像する撮像手段を各々に有する第１撮影装置と第２撮影装置とで構成される撮影システムであり、前記第１撮影装置は、連写条件データをエンコードして、所定の音声信号に重畳して合成音声信号を生成する合成音声生成手段と、前記合成音声信号を出力するスピーカと、前記連写条件データに基づいて、前記撮像手段を制御して連写処理を実行する第１制御手段とを備え、前記第２撮影装置は、音声信号を取得するマイクと、前記マイクによって取得された前記合成音声信号をデコードして、前記連写条件データを検出するデータ検出手段と、前記データ検出手段によって検出された前記連写条件データに基づいて、前記撮像手段を制御して連写処理を実行する第２制御手段とを備えていることを特徴とするものである。
【０００７】
また、前記連写条件データは、連写回数、連写スピード、シャッタスピード、及び絞り値を示す情報を含むことが好ましい。さらに、前記第１撮影装置は、撮影指示を入力する撮影指示入力手段を備え、前記撮影指示入力手段によって前記撮影指示が入力された時に、前記合成音声信号が前記スピーカから出力されることが好ましい。
【０００８】
また、前記第１及び第２撮影装置は、１回の撮影処理を行う通常撮影モードと、前記連写処理を行う連写モードとを有し、前記第１撮影装置が前記連写モードに設定された場合、前記スピーカは、前記通常撮影モード時と異なる特定の音声信号を出力し、前記マイクによって前記特定の音声信号が取得された時に、前記第２制御手段が、前記第２撮影装置を前記連写モードに設定することが好ましい。さらに、前記第２撮影装置は、前記連写条件データを一時的に記憶する記憶手段を備えていることが好ましい。
【０００９】
また、前記スピーカは前記合成音声信号を各撮影前に出力し、前記第２制御手段は、前記連写条件データを各撮影前に取得することが好ましい。さらに、前記第２制御手段は、撮影前に前回の連写条件データに基づいて前回の撮影が正しいか否かを判定し、前回の撮影が正しくない場合、前記連写条件データを更新することが好ましい。また、前記第２制御手段は、撮影前に前回の連写条件データに基づいて前回の撮影が正しいか否かを判定し、前回の撮影が正しくない場合、前回の撮影にて得られた画像データの補正処理または削除処理を実行しても良い。
【００１０】
さらに、前記第１撮影装置は、各部へタイミング信号を出力する第１タイマーと、発光手段とを備え、前記第２撮影装置は、各部へタイミング信号を出力する第２タイマーを備え、前記第１制御手段は、前記第１タイマーからのタイミング信号に基づいて前記発光手段を制御して、特定のタイミングで点滅させ、前記第２制御手段は、前記撮像手段を制御して前記特定のタイミングの点滅を検知して、前記第２タイマーを前記第１タイマーのタイミングに合わせても良い。
【００１１】
また、前記第１及び第２撮影装置は、正確な時刻情報を出力する計時手段を各々備え、前記連写条件データには、連写開始時刻情報及び連写タイミング情報が含まれており、前記第１及び第２制御手段は、前記連写開始時刻情報及び前記連写タイミング情報に基づいて前記連写処理を実行しても良い。
【００１２】
さらに、前記第１撮影装置は第１無線通信手段、前記第２撮影装置は第２無線通信手段をそれぞれ備え、前記第１及び第２撮影装置が無線設定モードに設定された場合、前記第１制御手段は、前記合成音声生成手段を制御して、前記第１無線通信手段の通信設定情報をエンコードして、前記所定の音声信号に重畳して無線設定用の合成音声信号を生成させ、前記第２制御手段は、前記データ検出手段を制御して前記通信設定情報を検出させて、前記通信設定情報に基づいて前記第２無線通信手段の通信設定を行うことが好ましい。
【００１３】
また、前記第２制御手段は、前記通信設定情報を取得した時に前記無線設定モードを解除するとともに、前記第２無線通信手段を制御して前記通信設定情報が受信されたことを示す通知を前記第２撮影装置に送信することが好ましい。さらに、前記第１制御手段は、前記第１無線通信手段によって前記通知を受信した時に前記無線設定モードを解除することが好ましい。
【００１４】
また、前記第１及び第２撮影装置には、ユーザの音声信号が予め登録され、前記合成音声生成手段は、前記ユーザの音声信号に前記通信設定情報のエンコードデータを重畳し、前記第２制御手段は、前記ユーザの音声信号が一致した場合のみ、前記第２無線通信手段の通信設定を行うことが好ましい。
【００１５】
さらに、前記スピーカによって、前記合成音声信号を出力する場合、前記第１制御手段は、前記スピーカの音量またはデコードデータの強度を適宜変更することが好ましい。
【００１６】
また、前記第２撮影装置には、前記第１撮影装置の識別情報が予め登録されており、前記識別情報が前記連写条件データに付加され、前記第２制御手段は、前記識別情報が一致した場合のみ前記連写条件データを設定することが好ましい。
【００１７】
さらに、前記第１制御手段は、発光手段を予め決められた信号パターンに従って点滅させることによって、前記識別情報を前記第２撮影装置へ送信し、前記第２制御手段は、前記撮像手段を制御することによって、前記識別情報を取得しても良い。また、前記識別情報は、無線通信手段によって前記第１撮影装置から前記第２撮影装置へ送信されても良い。
【００１８】
また、前記第１及び第２撮影装置に着脱自在に装填され画像データが記録される記録メディアが、前記第１撮影装置に装填されている時に、前記第１制御手段が前記識別情報を前記記録メディアに記録し、前記第２撮影装置に前記記録メディアが装填された時に、前記第２制御手段が、前記記録メディアから前記識別情報を取得しても良い。
【００１９】
さらに、前記第１制御手段は、表示手段を制御して前記識別情報を表示させ、前記第２制御手段は、前記撮像手段を制御して前記表示手段を撮像することによって前記識別情報を取得しても良い。
【００２０】
また、前記撮影指示入力手段は、半押し操作時にＯＮになる第１スイッチと、全押し操作時にＯＮとなる第２スイッチとを有し、前記第１制御手段は、前記第１スイッチがＯＮになった時に前記スピーカから前記合成音声信号を出力させ、前記第２スイッチがＯＮになった時に、前記スピーカから撮影開始のタイミングを示す音声のみを出力させることが好ましい。
【００２１】
さらに、前記第２撮影装置は、連写準備の完了を通知する通知手段を備え、前記第２制御手段は、前記第１撮影装置から取得した前記連写条件データに基づく前記連写準備の完了後、前記通知手段を制御して前記連写準備の完了を前記第１撮影装置へ通知し、前記第１制御手段は、前記通知を取得した後、前記スピーカから撮影開始のタイミングを示すシャッタ音のみを出力させることが好ましい。
【００２２】
本発明の撮影装置は、光電変換によって被写体像を撮像する撮像手段を備えた撮影装置であり、連写条件データをエンコードして、所定の音声信号に重畳して合成音声信号を生成する合成音声生成手段と、前記合成音声信号を出力するスピーカと、前記連写条件データに基づいて、前記撮像手段を制御して連写処理を実行する制御手段とを備えていることを特徴とするものである。
【００２３】
また、本発明の撮影装置は、光電変換によって被写体像を撮像する撮像手段を備えた撮影装置であり、前記スピーカから出力された音声を音声信号として取得するマイクと、前記マイクによって取得された音声信号をデコードして、前記連写条件データを検出するデータ検出手段と、前記データ検出手段によって検出された前記連写条件データに基づいて、前記撮像手段を制御して連写処理を実行する制御手段とを備えていることを特徴とするものである。
【発明の効果】
【００２４】
本発明によれば、第１撮影装置から第２撮影装置に連写条件を送信する時に、第１撮影装置のスピーカから連写条件データが所定の音声信号に重畳された合成音声信号を出力させ、第２撮影装置のマイクによって合成音声信号を取得させるので、簡単な構成で撮影装置間で同期連写処理を実現できる。このため、無線ＬＡＮやＢｌｕｅｔｏｏｔｈ等によって連写条件データを送信する場合や、第１及び第２撮影装置間をケーブルによって接続して送信する場合のように、通信モジュールを新たに設ける場合と比べて製造コストを安くできる。また、無線ＬＡＮやＢｌｕｅｔｏｏｔｈ等の無線通信の場合のように、特殊な通信設定をする必要がないのでユーザの手間を省略することができる。また、ケーブル接続の場合のように、ケーブルを持ち歩く必要がないため、同様にユーザの手間を省略することができる。
【００２５】
また、撮影指示入力手段によって撮影指示が入力された場合に、合成音声信号をスピーカから出力させるので、所定の音声信号としてシャッタ音の音声信号を利用することができるため、特別な音声信号を登録しておく必要がない。
【００２６】
さらに、第１撮影装置が連写モードに設定された場合、スピーカから通常撮影モード時と異なる特定の音声信号を出力させて、この特定の音声信号が取得された時に、第２撮影装置が自動的に連写モードに設定されるので、ユーザが第２撮影装置を連写モードに設定する操作を省略することができる。
【００２７】
また、第２撮影装置は、連写条件データを一時的に記憶する記憶手段を備えており、この記憶手段に連写条件データを常に記憶させておくことによって、第２制御手段が連写条件データを取りこぼすことを防止できる。
【００２８】
合成音声信号がスピーカから各撮影前に出力されて、第２制御手段によって連写データが各撮影前に取得されるので、連写処理中の連写条件の変更にも追従できる。また、前回の連写条件データに基づいて、前回の撮影が正しくないと判定された場合、連写条件データの更新や、画像データの補正処理または削除処理を行うので、記録メディアに不要な画像データが記録されることを防止できる。
【００２９】
第１及び第２撮影装置のタイマーのタイミングを合わせることによって、第１及び第２撮影装置を確実に同期させて連写処理を行うことが可能である。また、連写条件データに連写開始時刻情報及び連写タイミング情報を含めることによって、同様に、第１及び第２撮影装置を確実に同期させて連写処理を行うことが可能である。
【００３０】
第１撮影装置のスピーカ及び第２撮影装置のマイクを利用して、無線設定情報を送信することによって、ユーザが行う必要があった無線設定の操作を省略することができる。また、第１及び第２撮影装置にユーザの音声信号を予め登録しておき、この音声信号に通信設定情報のエンコードデータを重畳し、音声信号が一致した場合のみ通信設定を行うことによって、高度なセキュリティを確保できる。
【００３１】
また、合成音声信号をスピーカから出力させる時に、スピーカの音量またはデコードデータの強度を適宜変更できるので、これらを調節することによって、近距離にある撮影装置にのみデータを送信できるので、高度なセキュリティを確保することができる。
【００３２】
第１撮影装置から第２撮影装置へ送信される連写条件データに識別情報を付加して、識別情報が一致した場合のみ、第２撮影装置が連写条件データを設定するので、高度なセキュリティを確保することができる。
【００３３】
撮影指示入力手段が半押しされた時に、第１撮影装置から第２撮影装置へ連写条件データが送信されるので、合成音声信号のデコードによって生じる連写のタイムラグを軽減することができる。また、第２撮影装置の連写準備が完了したことを確認してから連写処理を実行することによって、同様に、合成音声信号のデコードによって生じる連写のタイムラグを軽減することができる。
【発明を実施するための最良の形態】
【００３４】
図１に示すカメラシステム（撮影システム）１０は、デジタルカメラ（第１撮影装置）１１と、デジタルカメラ（第２撮影装置）１２とで構成されている。このカメラシステム１０は、２つのデジタルカメラ１１，１２を同じ撮影条件で連続撮影（以下、連写と称する）することが可能である。各デジタルカメラ１１，１２は、１回の撮影処理を行う通常撮影モードと、同期連写処理を同期連写モードとを有している。
【００３５】
デジタルカメラ１１は、同期連写モードに設定された場合、連写を行うための撮影条件を示す連写条件データをデコードして音声信号に重畳して、デジタルカメラ１２に送信する。デジタルカメラ１２は、この連写条件データを取得して、デジタルカメラ１１と同様の連写条件を設定する。これにより、２つのデジタルカメラ１１，１２で同じ条件での同期連写処理が可能となる。なお、連写条件データには、連写回数、連写スピード、シャッタスピード、及び絞り値を示す情報等が含まれている。
【００３６】
次に、図２を参照して、デジタルカメラ１１の構成を説明する。デジタルカメラ１１は、カメラ本体２１の前面に、撮影レンズ２２を有するレンズ鏡筒２３と、ストロボ発光部２４と、ファインダ対物窓２５と、補助光ランプ２６と、マイク２７と、スピーカ２８と、グリップ部２９とが設けられている。グリップ部２９は、電源操作部材を兼用しており、このグリップ部２９をスライドさせることによって、カメラ本体２１の電源がＯＮ／ＯＦＦされる。
【００３７】
カメラ本体２１の上面には、シャッタボタン３１が設けられており、側面には、記録メディアスロット３２が設けられている。記録メディアスロット３２には、画像データが記憶される記録メディア（例えば、メモリカード）３３が着脱自在に装填される。
【００３８】
また、図３に示すように、カメラ本体２１の背面には、ファインダ接眼窓３４と、複数の操作ボタンで構成される操作部３５と、画像を表示する表示手段であるＬＣＤ３６とが設けられている。なお、デジタルカメラ１２は、デジタルカメラ１１と同様の構成であり、詳しい説明を省略する。
【００３９】
次に、図４を参照して、上記構成のデジタルカメラ１１の電気的構成について説明する。デジタルカメラ１１は、カメラ本体２１内の各部を制御する第１制御手段であるシステムコントローラ４０を備えている。システムコントローラ４０には、シャッタボタン３１、及び操作部３５が接続されている。
【００４０】
シャッタボタン３１は、２段階押圧式のボタンであり、このシャッタボタン３１が半押しされて１段目の第１スイッチからＯＮ信号を取得すると、システムコントローラ４０が、後述するＡＦ処理及びＡＥ処理等の撮影準備処理を実行する。また、シャッタボタン３１が全押しされて２段目の第２スイッチからＯＮ信号を取得すると、システムコントローラ４０は、ＡＥ処理によって設定された露出値にて、撮影処理を実行する。
【００４１】
操作部３５は、前述したように、複数の操作ボタンで構成されており、システムコントローラ４０は、各操作ボタンが操作された時に操作信号を取得し、各操作信号に対応する処理を実行する。
【００４２】
システムコントローラ４０内には、ＲＯＭ４０ａ、及びＲＡＭ４０ｂが設けられている。ＲＯＭ４０ａには、カメラ本体２１内の各部を制御するための制御プログラムや、各種制御データが記憶されている。また、ＲＡＭ４０ｂには、作業用データが一時的に記憶される。システムコントローラ４０は、これらの制御プログラムや各種制御データに基づいて各部を制御することによって各種処理を実行する。
【００４３】
撮影レンズ２２は、例えば、ズームレンズ２２ａと、絞り２２ｂと、フォーカスレンズ２２ｃとを備えて構成されている。ズームレンズ２２ａは、ズームモータ４１ａによって、撮影レンズ２２の光軸方向に移動される。また、絞り２２ｂは、アイリスモータ４１ｂによって駆動されて開口径が変更され、後述するＣＣＤイメージセンサ（以下、単にＣＣＤと称する）４４の受光面に入射する被写体光の光量を調節する。
【００４４】
フォーカスレンズ２２ｃは、フォーカスモータ４１ｃによって光軸方向に移動される。各モータ４１ａ〜４１ｃは、モータドライバ４３を介してシステムコントローラ４０に接続されている。モータドライバ４３は、システムコントローラ４０からの指示に基づいて各モータ４１ａ〜４１ｃに駆動パルスを送信する。各モータ４１ａ〜４１ｃは、この駆動パルスによって駆動する。
【００４５】
撮影レンズ２２の背後には、ＣＣＤ４４が設けられており、撮影レンズ２２を透過した被写体光が、ＣＣＤ４４の受光面に入射する。このＣＣＤ４４は、ＣＣＤドライバ４５を介してシステムコントローラ４０に接続されている。システムコントローラ４０は、ＣＣＤドライバ４５を制御してＣＣＤ４４を駆動するための駆動信号を生成させる。ＣＣＤ４４は、この駆動信号によって駆動されて、被写体像を撮像してアナログ信号である撮像信号を出力する。
【００４６】
ＣＣＤ４４には、相関二重サンプリング回路（ＣＤＳ）４６が接続されており、撮像信号が入力される。ＣＤＳ４６は、撮像信号のノイズを除去して、この撮像信号をＡＭＰ４７に出力する。ＡＭＰ４７は、撮影感度に応じたゲインで撮像信号を増幅した後、撮像信号をＡ／Ｄ変換器４８に出力する。
【００４７】
Ａ／Ｄ変換器４８は、撮像信号をアナログ信号からデジタル信号に変換して、画像データとして出力する。このＡ／Ｄ変換器４８には、画像入力コントローラ４９が接続されており、画像データが画像入力コントローラ４９に出力される。画像入力コントローラ４９は、データバス５０を介してＳＤＲＡＭ５１が接続されており、ＳＤＲＡＭ５１に画像データを記憶させる。なお、ＳＤＲＡＭ５１には、撮影処理が実行される前に、スルー画用の低解像度の画像データが記憶され、撮影処理時に、スルー画の画像データよりも高解像度の画像データが記憶される。
【００４８】
データバス５０には、画像入力コントローラ４９及びＳＤＲＡＭ５１の他に、システムコントローラ４０、画像信号処理部５２、圧縮伸長処理部５３、ＬＣＤドライバ５４、メディアコントローラ５５、ＡＦ検出部５６、及びＡＥ検出部５７が接続されている。システムコントローラ４０は、データバス５０を介してこれらを制御するとともに、相互間でデータの授受が可能である。
【００４９】
画像信号処理部５３は、画像データがＳＤＲＡＭ５１に一時的に記憶されている時に、画像データに対して、ホワイトバランス補正処理や、階調変換処理や、ＹＣ変換処理等の各種画像処理を施す。
【００５０】
シャッタボタン３１が操作される前に、システムコントローラ４０は、ＬＣＤドライバ５４を制御して、各種画像処理が施された画像データをスルー画としてＬＣＤ３６に表示させる。また、シャッタボタン３１が全押しされて撮影指示を取得すると、システムコントローラ４０は、圧縮伸長処理部５３を制御して、各種画像処理が施された画像データに対して、ＪＰＥＧ等の圧縮形式にて圧縮処理を施し、さらに、メディアコントローラ５５を制御して、圧縮後の画像データを記録メディア３３に記録する。
【００５１】
また、記録メディア３３に記録された画像データを再生する場合、システムコントローラ４０は、メディアコントローラ５５を制御して、記録メディア３３から画像データを読み出させ、さらに、圧縮伸長処理部５３を制御して、画像データに対して伸長処理を実行させる。その後、システムコントローラ４０は、ＬＣＤドライバ５４を制御して、伸長処理後の画像データを再生画像としてＬＣＤ３６に表示させる。
【００５２】
ＡＦ検出部５６は、シャッタボタン３１が半押しされてフォーカスレンズ２２ｃが光軸方向に移動されている時に、ＳＤＲＡＭ５１に記憶される画像データを取得し、画像データの高周波成分を積算して、ＡＦ評価値（積算値）をシステムコントローラ４０に出力する。システムコントローラ４０は、ＡＦ評価値が最大（ピーク）となる位置に、フォーカスレンズ２２ｃを移動させる。
【００５３】
また、ＡＥ検出部５７は、シャッタボタン３１が半押しされた時に、ＳＤＲＡＭ５１に記憶された画像データに基づいて、被写体輝度を測光して露出値が最適となるＡＥ評価値を検出して、このＡＥ評価値をシステムコントローラ４０に出力する。システムコントローラ４０は、ＡＥ評価値に基づいて、絞り２２ｂの開口径、及びＣＣＤ４４の電子シャッタ速度を設定する。
【００５４】
また、前述のシステムコントローラ４０には、ストロボ発光部２４、補助光ランプ２６、Ａｕｄｉｏ制御部６１、及びＤｅｃｏｄｅ/ｅｎｃｏｄｅ処理部６２が接続されている。システムコントローラ４０は、ＡＥ評価値に基づいてストロボ発光の有無を判定して、ストロボ発光が必要ない時に、ストロボ発光部２４を制御して被写体に向けてストロボ光を照射させる。
【００５５】
また、被写体が暗くてコントラスト方式のＡＦ処理ができない場合、システムコントローラ４０は、補助光ランプ２６を制御して被写体を照明させて、ＡＦ処理を実行する。また、デジタルカメラ１１，１２間で識別情報等のデータを送信する場合、システムコントローラ４０は、補助光ランプ２６を制御して、予め決められたモールス信号パターンによって点滅させてデータを送信する。
【００５６】
Ａｕｄｉｏ制御部６１には、マイク２７、及びスピーカ２８が接続されている。Ａｕｄｉｏ制御部６１は、マイク２７及びスピーカ２８を制御して、通常の音声信号の入出力を行う。また、Ｄｅｃｏｄｅ／ｅｎｃｏｄｅ処理部６２は、Ａｕｄｉｏ制御部６１と同様に、マイク２７及びスピーカ２８が接続されている。
【００５７】
このＤｅｃｏｄｅ／エンコード処理部６２は、合成音声生成手段であり、システムコントローラ４０から音声信号及びテキストデータが入力された時に、テキストデータをエンコード（ＯＦＤＭ変調）して音声信号に重畳して合成音声信号を生成するとともに、スピーカ２８を制御して、この合成音声信号を出力させる。また、Ｄｅｃｏｄｅ／エンコード処理部６２は、データ検出手段であり、マイク２７によって合成音声信号が取得された場合、合成音声信号をデコードして、音声データに重畳されたテキストデータを検出して、システムコントローラ４０に出力する。なお、スピーカ２８のアンプ機能は、Ａｕｄｉｏ制御部６１及びＤｅｃｏｄｅ／ｅｎｃｏｄｅ処理部６２に共通に設けられている。
【００５８】
次に、Ｄｅｃｏｄｅ／エンコード処理部６２にて、音響ＯＦＤＭ技術を用いてテキストデータを音声信号に重畳する場合について説明する。この音響ＯＦＤＭ技術は、通常の音や音声に対して、元の音声成分（可聴領域の成分）を損なわずに、テキスト等のデータを重畳する技術である。
【００５９】
最初に、図５（Ａ）に示すオリジナルの音声信号から高周波数部分をカットして、図５（Ｂ）に示すように、低周波数部分を取り出した音声信号を生成する。なお、オリジナルの音声信号とは、通常のデジタルカメラで用いられているシャッタ音、ビープ音、または動画再生時等の音声信号である。
【００６０】
次に、高域周波数帯にて伝送したいデータをＯＦＤＭ変調して、図５（Ｃ）に示すＯＦＤＭ信号を生成する。さらに、図５（Ｄ）に示すように、ＯＦＤＭ変調した各サブキャリアを元の高域音声の周波数分布に合わせて調整して、元の高域音声信号の強度と一致させる。
【００６１】
さらに、図５（Ｂ）に示す低域音声信号と、図５（Ｄ）に示す周波数分布調整後のＯＦＤＭ信号とを合成して、図５（Ｅ）に示すように、元の音声信号の可聴領域を損なわずに、データを含んだ合成音声信号が生成される。
【００６２】
なお、音声信号に重畳するデータのフォーマットは任意であり、テキストや、ビット情報、その他、様々なフォーマットが設定可能である。また、合成音声信号から重畳されたデータを取り出す場合は、前述の処理と反対の処理を実行すれば良いので、詳しい説明を省略する。
【００６３】
以上、デジタルカメラ１１の電気的構成について説明したが、デジタルカメラ１２も同様の構成であり、詳しい説明を省略する。なお、以下の説明において、デジタルカメラ１１をカメラＡ、デジタルカメラ１２をカメラＢと称する。
【００６４】
次に、図６のフローチャートを参照して、上記構成のカメラシステム１０の同期連写処理について説明する。最初に、カメラＡ側の同期連写処理について説明する。ユーザが操作部３５を操作して同期連写モードを選択すると、システムコントローラ４０は同期連写モードに設定して、さらに、連写回数、連写スピード、シャッタスピード、絞り値等を示す連写条件を設定する。この連写条件は、ユーザが操作部３５を操作することによって指定される。
【００６５】
連写条件が設定された後、システムコントローラ４０は、シャッタボタン３１が半押しされたか否かを判定する。半押しされていないと判定された場合、この判定処理を繰り返し行う。また、半押しされたと判定された場合、システムコントローラ４０は、ＡＦ検出部５６及びＡＥ検出部５７を制御してＡＦ処理及びＡＥ処理を実行する。
【００６６】
その後、システムコントローラ４０は、シャッタボタン３１が全押しされたか否かを判定する。全押しされていないと判定された場合、この判定処理を繰り返し行う。全押しされたと判定された場合、システムコントローラ４０は、Ｄｅｃｏｄｅ／ｅｎｃｏｄｅ処理部６２を制御して、連写条件データをエンコード処理（ＯＦＤＭ変調）して、シャッタ音の音声信号に重畳して合成音声信号を生成させる。
【００６７】
さらに、Ｄｅｃｏｄｅ／ｅｎｃｏｄｅ処理部６２は、合成音声信号に基づいてスピーカ２８を制御して、連写条件データ付きシャッタ音を出力させる。その後、システムコントローラ４０は、連写条件データに基づいて各部を制御して１回の撮影処理を実行する。
【００６８】
撮影処理終了後、システムコントローラ４０は、設定回数の撮影処理が終了したか否かを判定する。終了していないと判定された場合、シャッタ音を出力する処理に戻って同様の処理を繰り返し行う。設定回数の撮影処理が終了したと判定された場合、同期連写処理を終了する。
【００６９】
次に、カメラＢ側の同期連写処理について説明する。同期連写モードに設定された後、Ｄｅｃｏｄｅ／ｅｎｃｏｄｅ処理部６２は、シャッタ音（連写条件データ付き）が検出されたか否かを判定する。シャッタ音が検出されていないと判定された場合、この判定処理を検出するまで繰り返し行う。
【００７０】
シャッタ音が検出されたと判定された場合、Ｄｅｃｏｄｅ／ｅｎｃｏｄｅ処理部６２は、シャッタ音の音声信号からＯＦＤＭ信号を抽出して、デコード処理を施して連写条件データをシステムコントローラ４０に出力する。
【００７１】
システムコントローラ４０は、連写条件データに基づいて連写条件を設定して、１回の撮影処理を実行する。撮影処理終了後、システムコントローラ４０は、設定回数の撮影処理が終了したか否かを判定する。終了していないと判定された場合、シャッタ音を検出する処理に戻って同様の処理を繰り返し行う。設定回数の撮影処理が終了したと判定された場合、同期連写処理を終了する。
【００７２】
前述したように、カメラＢが、カメラＡからのシャッタ音に含まれるＯＦＤＭ信号をデコードして、連写条件を設定するので、カメラＢに対して同期連写の設定を行わずに、カメラＡ，Ｂを同期させて連写処理を実行することができる。
【００７３】
また、ＷＬＡＮ、Ｂｌｕｅｔｏｏｔｈ、またはケーブル等でカメラＡ，Ｂ間を同期させる場合と比べて、特殊な通信設定や通信モジュールが不要であり、簡単な構成で同期連写処理を実現できるため、製造コストを安くすることができる。また、ユーザが通信設定等の操作を行う必要がないため、ユーザの手間を省略することができる。
【００７４】
上記実施形態において、カメラＡ，Ｂの両方を同期連写モードに設定する場合を例に説明を行ったが、カメラＡのみを同期連写モードに設定するだけで、カメラＡ，Ｂ間で同期連写処理を実行できるようにしても良い。この場合について以下に説明する。
【００７５】
図７に示すように、デジタルカメラ７０は、システムコントローラ４０と、Ａｕｄｉｏ制御部７１と、Ｄｅｃｏｄｅ／ｅｎｃｏｄｅ処理部６２と、マイク２７と、スピーカ２８と、連写条件データを一時的に記憶する記憶手段であるバッファメモリ７２とを備えている。
【００７６】
Ａｕｄｉｏ制御部７１は、前述のＡｕｄｉｏ制御部６１と異なり、シャッタ音検出部７１ａと、通知部７１ｂとを備えている。シャッタ音検出部７１ａは、マイク２７から音声データを逐次取得し、特定のシャッタ音が入力されたか否かを判定する。通知部７１ｂは、シャッタ音検出部７１ａによって特定のシャッタ音が検出された時に、特定のシャッタ音の検出をシステムコントローラ４０に通知して割り込みを入れる。これにより、デコード処理よりも、特定のシャッタ音の検出が早いために連写の同期精度を向上させることができる。
【００７７】
バッファメモリ７２は、システムコントローラ４０とＤｅｃｏｄｅ／ｅｎｃｏｄｅ処理部６２との間に設けられて接続されている。Ｄｅｃｏｄｅ／ｅｎｃｏｄｅ処理部６２は、合成音声信号をデコードして検出された連写条件データをバッファメモリ７２に逐次記憶させる。このため、連写条件データの取りこぼしを防止することができる。なお、このバッファメモリ７２を設けずに、ＳＤＲＡＭ５１内に連写条件データを一時的に記憶させても良い。
【００７８】
システムコンローラ４０は、シャッタ音検出部７１ａから特定のシャッタ音の検出通知を取得した時に、バッファメモリ７２に記憶された連写条件データを読み取り、連写条件を設定して同期連写処理を実行する。
【００７９】
なお、図７に図示されていない部品は、デジタルカメラ１１と同様であり、図面が煩雑化するのを避けるために図示を省略した。また、図７に図示された部品のうち、デジタルカメラ１１と同じ部品には、同一の符号を付して詳しい説明を省略する。
【００８０】
次に、図８のフローチャートを参照して、カメラＡ，Ｂとしてデジタルカメラ７０を使用した場合の同期連写処理について説明する。最初に、カメラＡ側の同期連写処理について説明する。なお、シャッタボタン３１の全押しを判定する処理までは、前述の同期連写処理と同様であるので説明を省略する。
【００８１】
シャッタボタン３１が全押しされたと判定された場合、システムコントローラ４０は、Ｄｅｃｏｄｅ／ｅｎｃｏｄｅ処理部６２を制御して、連写条件データをエンコード処理して、通常撮影モード時とは異なる特定のシャッタ音の音声データに重畳して合成音声信号を生成させる。
【００８２】
さらに、Ｄｅｃｏｄｅ／ｅｎｃｏｄｅ処理部６２は、合成音声信号に基づいてスピーカ２８を制御して、連写条件データ付きの特定のシャッタ音を出力させる。その後、システムコントローラ４０は、連写条件データに基づいて各部を制御して１回の撮影処理を実行する。
【００８３】
撮影処理終了後、システムコントローラ４０は、設定回数の撮影処理が終了したか否かを判定する。終了していないと判定された場合、特定のシャッタ音を出力する処理に戻って同様の処理を繰り返し行う。設定回数の撮影処理が終了したと判定された場合、同期連写処理を終了する。
【００８４】
次に、カメラＢ側の同期連写処理について説明する。システムコントローラ４０は、特定のシャッタ音が検出されたか否かを判定する。なお、この判定は、シャッタ音検出部７１ｂから検出通知を取得したか否かによって行われる。特定のシャッタ音が検出されていないと判定された場合、システムコントローラ４０は、特定のシャッタ音が検出されるまで繰り返し判定処理を行う。
【００８５】
特定のシャッタ音が検出されたと判定された場合、システムコントローラ４０は、同期連写モードに設定する。さらに、システムコントローラ４０は、バッファメモリ７２から連写条件データを取得するとともに、連写条件データを更新する。
【００８６】
連写条件データを更新した後、システムコントローラ４０は、この連写条件データに基づいて各部を制御して、１回の撮影処理を実行する。撮影処理終了後、システムコントローラ４０は、設定回数の撮影処理が終了したか否かを判定する。終了していないと判定された場合、特定のシャッタ音を検出する処理に戻って同様の処理を繰り返し行う。設定回数の撮影処理が終了したと判定された場合、同期連写処理を終了する。
【００８７】
次に、図９のフローチャートを参照して、２回目以降の撮影において、前回の撮影時のデコード結果（連写条件データ）をフィードバックし、前回の撮影が正しいか否かを判定する場合の同期連写処理について説明する。なお、カメラＡ側の処理は、図８のフローチャートと同様であるので、カメラＡ側の同期連写処理の説明を省略して、カメラＢ側の同期連写処理のみを説明する。
【００８８】
システムコントローラ４０は、特定のシャッタ音が検出されたか否かを判定する。特定のシャッタ音が検出されていないと判定された場合、システムコントローラ４０は、特定のシャッタ音が検出されるまで繰り返し判定処理を行う。特定のシャッタ音が検出されたと判定された場合、システムコントローラ４０は、同期連写モードに設定する。さらに、システムコントローラ４０は、バッファメモリ７２から連写条件データを取得する。
【００８９】
連写条件データの取得後、システムコントローラ４０は、次の撮影が２回目以降の撮影か否かを判定する。２回目以降の撮影ではないと判定された場合（１回目の撮影の場合）、バッファメモリ７２から取得した連写条件データに基づいて各部を制御して、１回の撮影処理を実行して、連写処理終了の判定処理に進む。
【００９０】
また、２回目以降の撮影であると判定された場合、システムコントローラ４０は、前回の連写条件データを参照して、前回の撮影が正しいかったか否かを判定する。前回の撮影が正しいと判定された場合、前回の連写条件データに基づいて各部を制御して、１回の撮影処理を実行して、連写処理終了の判定処理に進む。
【００９１】
また、前記の撮影が正しくないと判定された場合、システムコントローラ４０は、連写条件データをバッファメモリ７２から取得したものに更新するとともに、撮影条件の変更を行う。さらに、システムコントローラ４０は、正しい撮影ではないと判定された画像データの削除処理または補正処理を実行する。その後、システムコントローラ４０は、１回の撮影処理を実行して、連写処理終了の判定処理に進む。
【００９２】
連写処理終了の判定処理では、システムコントローラ４０は、設定回数と撮影済み回数とを比較して、設定回数の撮影処理が終了したか否かを判定する。連写処理が終了していないと判定された場合、特定のシャッタ音が検出されたか否かを判定する処理に戻って、同様の処理を繰り返し行う。また、連写処理が終了したと判定された場合、同期連写処理を終了する。
【００９３】
このように、特定のシャッタ音をトリガとして、連写タイミングを取り、且つ、デコード処理を毎回行うことによって、連写条件設定等の変更が可能となる。また、正しい撮影でないと判定された画像データの削除処理や補正処理を実行するので、不要な画像データが記録メディア３３に蓄積されることを防止できる。
【００９４】
次に、内部タイマーのタイミング補正を行う場合について説明する。図１０に示すデジタルカメラ８０は、デジタルカメラ７０と異なり、タイマー部８１を備えている。このタイマー部８１は、システムコントローラ４０と接続されており、タイミング信号を各部に出力して動作のタイミングを制御する。なお、その他の構成は、デジタルカメラ７０と同様であり、同じ部品には同一の符号を付して詳しい説明を省略する。
【００９５】
カメラＡ，Ｂとしてデジタルカメラ８０を用いてタイミングの補正処理を行う場合、カメラＡとカメラＢの前面が向かい合うように配置された後、システムコントローラ４０は、タイマー部８１及び補助光ランプ２６を制御して、カメラＡの補助光ランプ２６をタイマー部８１のタイミング信号に従って特定のタイミング、且つ適度な光度で点滅させる。この時、カメラＡは、タイマー情報付きのシャッタ音をスピーカ２８から出力させる。この時、カメラＡは、タイマー部８１のタイミングと、シャッタ音出力タイミング及び撮影タイミングの補正を行う。なお、このタイマー情報は、カメラＡのタイマー部８１と補助光ランプ２６の発光スタートのディレイ情報や、基本時刻情報等である。
【００９６】
カメラＢ側では、システムコントローラ４０が、ＣＣＤ４４を制御して、特定のタイミングの点滅を検知して、カメラＢのタイマー８１をカメラＡと同じタイミングに合わせる。さらに、カメラＡからのタイマー情報、及びカメラＢ自身の補助発光のディレイ情報に基づいて、シャッタ音検出タイミング及び撮影タイミングを合わせる。なお、タイマー部８１のタイミングを合わせる場合、例えば、ｍｓｅｃオーダーまたはμｓｅｃオーダーで一致させる。
【００９７】
次に、図１１のフローチャートを参照して、カメラＡ，Ｂとしてデジタルカメラ８０を使用した場合の同期連写処理について説明する。最初に、カメラＡ側の同期連写処理について説明する。ユーザが操作部３５を操作してタイマー設定を選択すると、システムコントローラ４０は、タイマー設定モードに変更する。タイマー設定モードに設定された後、システムコントローラ４０は、補助光ランプ２６を制御して、適度な光度、且つ特定のタイミングで点滅させ、さらに、タイマー情報を含む擬似シャッタ音を鳴らして、タイマー設定を行う。
【００９８】
その後、同期連写モードに設定された後、システムコントローラ４０は、連写条件をプログラム設定する。さらに、システムコントローラ４０は、シャッタボタン３１が半押しされたか否かを判定する。シャッタボタン３１が半押しされていないと判定された場合、この判定処理を繰り返し行う。また、半押しされたと判定された場合、システムコントローラ４０は、ＡＦ検出部５６及びＡＥ検出部５７を制御してＡＦ処理及びＡＥ処理を実行する。
【００９９】
その後、システムコントローラ４０は、シャッタボタン３１が全押しされたか否かを判定する。全押しされていないと判定された場合、この判定処理を繰り返し行う。全押しされたと判定された場合、システムコントローラ４０は、Ｄｅｃｏｄｅ／ｅｎｃｏｄｅ処理部６２を制御して、プログラム設定された連写条件データをエンコード処理して、シャッタ音の音声データに重畳して合成音声信号を生成させて、擬似シャッタ音としてスピーカ２８から出力させる。システムコントローラ４０は、連写開始の設定時刻になった時に、設定回数の連写処理を実行して同期連写処理を終了する。
【０１００】
次に、カメラＢ側の同期連写処理について説明する。タイマー設定モードに設定された後、システムコントローラ４０は、ＣＣＤ４４を制御して補助光を受光させるとともに、Ｄｅｃｏｄｅ／ｅｎｃｏｄｅ処理部６２を制御してシャッタ音信号をデコードして、タイマー情報を取得する。システムコントローラ４０は、特定のタイミング及びタイマー情報に基づいてタイマーの設定を行う。
【０１０１】
タイマー設定の終了後に、同期連写モードに設定されると、Ｄｅｃｏｄｅ／ｅｎｃｏｄｅ処理部６２は、シャッタ音が検出されたか否かを判定する。シャッタ音が検出されていないと判定された場合、この判定処理を検出するまで繰り返し行う。
【０１０２】
シャッタ音が検出されたと判定された場合、Ｄｅｃｏｄｅ／ｅｎｃｏｄｅ処理部６２は、シャッタ音信号に対してデコード処理を施して連写条件データをシステムコントローラ４０に出力する。
【０１０３】
さらに、システムコントローラ４０は、連写条件を設定して各部を制御することによって、連写開始の設定時刻になった時に、設定回数の連写処理を実行して同期連写処理を終了する。
【０１０４】
なお、上記説明において、特別なタイマー８１を準備する場合を例に説明を行ったが、これに限るものではなく、ＲＴＣ（Real Time Clock）を使っても良い。この場合、連写用にＲＴＣのデータを変更するため、連写処理が終わった時点で、過去のデータを補正して書き戻せば良い。
【０１０５】
また、上記説明において、タイマー８１の設定を行う際に補助光ランプ２６を点滅させる場合を例に説明を行ったが、これに限るものではなく、例えば、ストロボ発光部２４やタリーランプ等を用いても良い。この場合も同様に、適度な光量、且つ特定のタイミングで点滅させれば良い。
【０１０６】
次に、図１２を参照して、時計部を設けて連写のタイミングを一致させる場合について説明する。デジタルカメラ９０は、デジタルカメラ８０と異なり、タイマー部８１の代わりに、時計部９１を備えている。また、この時計部９１は、電波時計であり、アンテナ９１ａを備えており、常に正確な時刻情報を出力することができる。このデジタルカメラ９０は、この時計部９１の時刻情報に基づいて連写のタイミングを一致させる。なお、その他の構成は、デジタルカメラ８０と同様であり、同じ部品には同一の符号を付して詳しい説明を省略する。
【０１０７】
以下に、図１３のフローチャートを参照して、カメラＡ，Ｂとしてデジタルカメラ９０を使用した場合の同期連写処理について説明する。最初に、カメラＡ側の同期連写処理について説明する。なお、同期連写モードの設定処理からシャッタボタン３１の全押しの判定処理までは図９のフローチャートと同様であり、詳しい説明を省略する。
【０１０８】
シャッタボタン３１が全押しされたと判定された場合、システムコントローラ４０は、Ｄｅｃｏｄｅ／ｅｎｃｏｄｅ処理部６２を制御して、連写条件データ及び時刻情報をエンコード処理して、エンコード処理されたＯＦＤＭ信号を擬似シャッタ音の音声データに重畳して合成音声信号を生成させて、スピーカ２８から擬似シャッタ音を鳴らす。なお、時刻情報とは、連写開始時刻及び連写タイミングに関する情報である。
【０１０９】
その後、システムコントローラ４０は、連写条件データ及び時刻情報に基づいて各部を制御して、設定開始時刻にて連写処理を開始して、連写が終了した時に同期連写処理を終了する。
【０１１０】
次に、カメラＢ側の同期連写処理について説明する。なお、シャッタ音を検出したか否かを判定する処理までは、図９のフローチャートと同様であり、詳しい説明を省略する。シャッタ音が検出されたと判定された場合、Ｄｅｃｏｄｅ／ｅｎｃｏｄｅ処理部６２は、シャッタ音の音声信号に対してデコード処理を施して、連写条件データ及び時刻情報をシステムコントローラ４０に出力する。
【０１１１】
システムコントローラ４０は、連写条件データ及び時刻情報を取得するとともに、これらに基づいて各部を制御して、設定開始時刻にて連写処理を開始して、連写が終了した時に同期連写処理を終了する。
【０１１２】
次に、図１４を参照して、ＯＦＤＭ技術を利用して、無線（例えば、無線ＬＡＮ，Ｂｌｕｅｔｏｏｔｈ等）の設定を行う場合を例に説明する。デジタルカメラ１００は、デジタルカメラ９０と異なり、無線部１０１が設けられている。この無線部１０１は、例えば、無線ＬＡＮインターフェースであり、アンテナ１０２が接続されている。無線部１０１は、このアンテナ１０２を介して、他のデジタルカメラとの無線通信を制御する。
【０１１３】
なお、以下に、アドホック通信の設定を行う場合を例に説明する。アドホック通信とは、無線ＬＡＮアクセスポイントを介さずに機器同士が直接通信を行うことである。また、その他の構成は、デジタルカメラ９０と同様であり、同じ部品には同一の符号を付して詳しい説明を省略する。
【０１１４】
次に、図１５のフローチャートを参照して、カメラＡ，Ｂとしてデジタルカメラ１００を使用した場合の無線設定処理について説明する。この無線設定処理を行う場合、カメラＡ，Ｂをできるだけ近づけて配置する。最初に、カメラＡ側の無線設定処理について説明する。操作部３５によって無線設定モードが選択されると、システムコントローラ４０は、無線設定モードに変更し、自動でアドホック通信の設定をランダムで設定する。なお、既存で設定してあるものは、ＲＡＭ４０ｂ等のテンポラリメモリに格納しておく。
【０１１５】
その後、システムコントローラ４０は、Ｄｅｃｏｄｅ／ｅｎｃｏｄｅ処理部６２を制御して、無線設定情報をエンコード処理して、エンコード処理されたＯＦＤＭ信号をシャッタ音の音声データに重畳して合成音声信号を生成させ、スピーカ２８から合成音声信号を出力させて、無線設定情報をカメラＢに送信する。
【０１１６】
無線設定情報の送信後、システムコントローラ４０は、アラートを受信したか否かを判定する。アラートが受信されていないと判定された場合、システムコントローラ４０は、Ｄｅｃｏｄｅ／ｅｎｃｏｄｅ処理部６２を制御して音量をＵＰさせるとともに、無線設定情報を送信する処理に戻って繰り返し同様の処理を行う。
【０１１７】
また、アラートを受信したと判定された場合、無線設定モードを解除して無線設定処理を終了する。
【０１１８】
次に、カメラＢ側の無線設定処理について説明する。無線設定モードに変更された後、ユーザが操作部３５を操作して受信モードを選択すると、システムコントローラ４０は、無線部１０１を制御して受信モードに設定する。
【０１１９】
その後、システムコントローラ４０は、Ｄｅｃｏｄｅ／ｅｎｃｏｄｅ処理部６２を制御して、無線設定情報を受信したか否かを判定させる。無線設定情報が受信されていないと判定された場合、受信モードに設定する処理に戻って繰り返し同様の処理を行う。
【０１２０】
また、無線設定情報を受信したと判定された場合、システムコントローラ４０は、Ｄｅｃｏｄｅ／ｅｎｃｏｄｅ処理部６２からデコード処理された無線設定情報を取得して、この無線設定情報に基づいて、無線部１０１を設定する。さらに、システムコントローラ４０は、無線部１０１を制御してアラートをカメラＡに送信し、無線設定モードを解除して無線設定処理を終了する。
【０１２１】
なお、カメラＡ，Ｂの２台間での通信が終わった時点で、本無線通信の必要がなくなるので、無線設定は過去の設定に書き戻される。
【０１２２】
前述の無線設定処理の説明において、無線設定情報をエンコードしたＯＦＤＭ信号を音声信号に重畳して合成音声信号を生成させる場合を例に説明したが、これに限るものではなく、予め音声登録されたユーザの音声信号に重畳して合成音声信号を生成しても良い。
【０１２３】
図１６のフローチャートを参照して、予め音声登録された音声データに無線設定情報を重畳する場合の無線設定処理について説明する。最初に、カメラＡ側の無線設定処理について説明する。システムコントローラ４０は、Ａｕｄｉｏ制御部６１を制御して、マイク２７を介してユーザの音声データを取得させて、ＲＡＭ４０ａに記憶させる。なお、ユーザの音声データは、ＲＡＭ４０ａに限らず、例えば、記録メディア３３に記録しても良い。
【０１２４】
その後、無線設定モードに変更されると、自動でアドホック通信の設定をランダムで設定する。さらに、システムコントローラ４０は、Ｄｅｃｏｄｅ／ｅｎｃｏｄｅ処理部６２を制御して、無線設定情報に対してエンコード処理を施し、エンコード処理されたＯＦＤＭ信号をユーザの音声データに重畳して合成音声信号を生成させて、スピーカ２８から音を鳴らして、無線設定情報をカメラＢに送信する。その後の処理は、図１５のフローチャートと同様であるので、詳しい説明を省略する。
【０１２５】
次に、カメラＢ側の無線設定処理について説明する。システムコントローラ４０は、Ａｕｄｉｏ制御部６１を制御して、マイク２７を介してユーザの音声データを取得させて、ＲＡＭ４０ａに記憶させる。なお、この場合も、ユーザの音声データを記録メディア３３に記録しても良い。
【０１２６】
無線設定モードに設定された後、受信モードに設定されると、システムコントローラ４０は、Ａｕｄｉｏ制御部６１を制御して、ＲＡＭ４０ｂに記憶された音声データと一致する声紋の音声を受信したか否かを判定させる。
【０１２７】
受信されていないと判定された場合、受信モードに設定する処理に戻って繰り返し同様の処理を行う。また、受信されたと判定された場合、システムコントローラ４０は、デコード処理された無線設定情報を取得して、この無線設定情報に基づいて、無線部１０１を設定する。その後の処理は、前述の図１５のフローチャートと同様処理であり、詳しい説明を省略する。
【０１２８】
なお、前述の無線設定処理の説明において、アラートが受信されなかったときに、音量をＵＰする場合を例に説明を行ったが、デコード処理（ＯＦＤＭ変調）されたデータの強度をＵＰさせても良い。この場合について、以下に説明を行う。
【０１２９】
図１７のフローチャートを参照して、デコード処理されたデータの強度する場合の無線設定処理について説明を行う。カメラＡは、無線設定情報をカメラＢに送信した後、カメラＢからのアラートを受信したか否かを判定する。
【０１３０】
アラートが受信されていないと判定された場合、システムコントローラ４０は、Ｄｅｃｏｄｅ／ｅｎｃｏｄｅ処理部６２を制御して、図１８に示すように、ＯＦＤＭ信号の強度をＵＰさせて、無線設定情報を送信する処理に戻って同様の処理を繰り返し行う。
【０１３１】
また、アラートを受信したと判定された場合、システムコントローラ４０は、無線設定モードを解除して、無線設定処理を終了する。なお、その他の処理は、前述の無線設定処理と同様であるので、詳しい説明を省略する。
【０１３２】
前述のように、音響ＯＦＤＭ通信を行う時に、ＯＦＤＭにて変調された部分のパワー（データの強度）を徐々に強くして、近距離のカメラのみにデータを送信する。この時、スピーカ２８から出力される音の強度は変化しない。また、この場合、このデータは無線通信用のＩＤとして使用される。また、このようなＩＤを連写条件データに付加、またはＩＤに対応して連写条件データを暗号化することで、特定のカメラのみで同期連写処理を可能にしても良い。以下に、この場合について説明する。
【０１３３】
図１９のフローチャートを参照して、連写条件データにＩＤを付加して送信する場合の同期連写処理について説明する。最初に、カメラＡ側の同期連写処理について説明する。ユーザが操作部３５を操作してＩＤ設定を選択すると、システムコントローラ４０は、ＩＤ設定モードに変更するとともに、ＩＤコードの設定を行う。このＩＤコードは、ユーザが操作部３５を操作して入力したものでも良いし、カメラＡ内で自動生成したものでも良い。
【０１３４】
ＩＤコードの設定後、システムコントローラ４０は、補助ランプ２６を制御して、予め決められたモールス信号パターンにならって、補助光ランプ２６を制御して、適度な光度・タイミングで点滅させることによって、ＩＤコードをカメラＢへ送信する。
【０１３５】
同期連写モードに設定された後、連写条件が設定されると、システムコントローラ４０は、シャッタボタン３１が半押しされたか否かを判定する。半押しされていないと判定された場合、この判定処理を繰り返し行う。また、半押しされたと判定された場合、システムコントローラ４０は、ＡＦ処理及びＡＥ処理を実行する。
【０１３６】
その後、システムコントローラ４０は、シャッタボタン３１が全押しされたか否かを判定する。全押しされていないと判定された場合、この判定処理を繰り返し行う。全押しされたと判定された場合、システムコントローラ４０は、Ｄｅｃｏｄｅ／ｅｎｃｏｄｅ処理部６２を制御して、ＩＤコード付きの連写条件データをエンコード処理して、擬似シャッタ音の音声データに重畳して合成音声信号を生成させる。
【０１３７】
さらに、Ｄｅｃｏｄｅ／ｅｎｃｏｄｅ処理部６２は、合成音声信号に基づいてスピーカ２８を制御して、ＩＤコード及び連写条件データが付加されたシャッタ音を出力させる。その後、システムコントローラ４０は、連写条件に基づいて各部を制御して、設定開始時刻にて連写処理を実行して、同期連写処理を終了する。
【０１３８】
次に、カメラＢ側の同期連写処理について説明する。ＩＤ設定モードに変更された後、補助光の受光によってＩＤコードが受信されると、システムコントローラ４０は、このＩＤコードを取得するとともに、ＬＣＤドライバ５４を制御してＬＣＤ３６にＩＤコードを表示させる。
【０１３９】
その後、同期連写モードに設定されると、システムコントローラ４０は、Ｄｅｃｏｄｅ／ｅｎｃｏｄｅ処理部６２を制御して、ＩＤコード付きの連写条件データが検出されたか否かを判定させる。ＩＤコード付きの連写条件データが検出されていないと判定された場合、この判定処理を繰り返し行う。また、ＩＤコードが一致しない場合も同様に、この判定処理を繰り返し行う。
【０１４０】
ＩＤコード付きの連写条件データが検出され、且つＩＤコードが一致した場合、Ｄｅｃｏｄｅ／ｅｎｃｏｄｅ処理部６２は、連写条件データをシステムコントローラ４０に出力する。システムコントローラ４０は、この連写条件データに基づいて各部を制御して、連写開始の設定時刻になった時に連写処理を実行して同期連写処理を終了する。
【０１４１】
上記の同期連写処理では、ＩＤコードを補助ランプの点滅によって送信する場合を例に説明したが、これに限るものではなく、ストロボ発光部やタリーランプ等を点滅させて送信しても良い。また、図２０のフローチャートに示すように、ＩｒＤＡ（Infrared Data Association）によってＩＤコードを送信しても良い。この場合の同期連写処理は、前述の同期連写処理と略同様であるので、詳しい説明を省略する。また、ＩｒＤＡの代わりに、ＲＦＩＤを利用してＩＤコードを送信しても良い。
【０１４２】
次に、図２１のフローチャートを参照して、記録メディア３３を介してカメラＡ，Ｂ間でＩＤコードの授受を行う場合の同期連写処理について説明する。最初に、カメラＡ側の同期連写処理について説明する。ＩＤ設定モードに変更されてＩＤコードが設定されると、システムコントローラ４０は、メディアコントローラ５５を制御して、このＩＤコードを記録メディア３３に記録する。なお、このＩＤコードは、ユーザが操作部３５を操作して入力したものでも良いし、カメラＡ内で自動生成したものでも良い。その後の処理は、前述の場合と同様であるので詳しい説明を省略する。
【０１４３】
次に、カメラＢ側の同期連写処理について説明する。ＩＤ設定モードに変更された後、システムコントローラ４０は、ＩＤコードが記録された記録メディア３３が検知されたか否かを判定する。記録メディア３３が検知されない場合は、この判定処理を繰り返し行う。
【０１４４】
また、記録メディア３３が検知された場合、システムコントローラ４０は、メディアコントローラ５５を制御して、ＩＤコードを取得する。その後の処理は、前述の場合と同様であるので詳しい説明を省略する。
【０１４５】
次に、図２２のフローチャートを参照して、ＬＣＤ３６を介してカメラＡ，Ｂ間でＩＤコードの授受を行う場合の同期連写処理について説明する。最初に、カメラＡ側の同期連写処理について説明する。ＩＤ設定モードに変更されてＩＤコードが設定されると、システムコントローラ４０は、ＬＣＤドライバ５４を制御して、このＩＤコードをＬＣＤ３６に表示させる。
【０１４６】
なお、このＩＤコードは、前述の場合と同様に、ユーザが操作部３５を操作して入力したものでも良いし、カメラＡ内で自動生成したものでも良い。その後の処理は、前述の場合と同様であるので詳しい説明を省略する。
【０１４７】
次に、カメラＢ側の同期連写処理について説明する。ＩＤ設定モードに変更された後、システムコントローラ４０は、ＣＣＤ４４を制御して、カメラＡのＬＣＤ３６を撮像することによってＩＤコードを取得し、さらに、ＬＣＤドライバ５４を制御して、このＩＤコードをＬＣＤ３６に表示させる。その後の処理は、前述の場合と同様であるので詳しい説明を省略する。
【０１４８】
前述したように、ＬＣＤに表示されているＩＤコードを撮像して、相手のＩＤコードを入手して、ＩＤコードを共有して利用する。しかし、本発明のように音響ＯＦＤＭにてデータ送信の際にセキュリティを向上させるために、このような方法を利用する場合に限らず、無線ＬＡＮや、ＷｉＭＡＸ等の様々な通信方式におけるＩＤコードの授受にも、このような方法を適用できる。また、ＩＤコードは、２次元バーコードや、３次元バーコードや、任意の英数字等であり、情報形態はどのような形態でも良い。
【０１４９】
上記実施形態において、シャッタボタン３１が全押しされた時に、連写条件データを送信する場合を例に説明を行ったが、シャッタボタン３１が半押しされた時に、連写条件データを送信しても良い。以下に、この場合について説明する。
【０１５０】
図２３のフローチャートを参照して、シャッタボタン３１が半押しされた時に連写条件データを送信する場合の同期連写処理について説明する。最初に、カメラＡ側の同期連写処理について説明する。同期連写モードにて連写条件が設定されると、システムコントローラ４０は、シャッタボタン３１が半押しされたか否かを判定する。半押しされていないと判定された場合、この判定処理を繰り返し行う。
【０１５１】
また、半押しされたと判定された場合、システムコントローラ４０は、ＡＦ処理及びＡＥ処理を実行する。さらに、システムコントローラ４０は、Ｄｅｃｏｄｅ／ｅｎｃｏｄｅ処理部６２を制御して、連写条件データをエンコード処理して、所定の音声信号に重畳して合成音声信号を生成させ、スピーカ２８から合成音声信号を出力させる。なお、所定の音声信号とは、例えば、「ピィピィ」などの音や、ビープ音等である。
【０１５２】
その後、システムコントローラ４０は、シャッタボタン３１が全押しされたか否かを判定する。全押しされていない場合、この判定処理を繰り返し行う。全押しされた場合、システムコントローラ４０は、Ａｕｄｉｏ制御部６１を制御して、連写の開始を通知するための特定の音をスピーカ２８から出力させる。
【０１５３】
さらに、システムコントローラ４０は、連写条件データに基づいて各部を制御して連写処理を実行し、撮影が終了した時に、連写の終了を通知するための特定の音を出力させて、同期連写処理を終了する。
【０１５４】
次に、カメラＢ側の同期連写処理について説明する。同期連写モードに設定されると、システムコントローラ４０は、Ｄｅｃｏｄｅ／ｅｎｃｏｄｅ処理部６２を制御して、連写条件データが検出されたか否かを判定させる。検出されていないと判定された場合、この判定処理を繰り返し行う。
【０１５５】
また、連写条件データが検出されたと判定された場合、システムコントローラ４０は、連写条件を設定することによって、連写の準備を行う。その後、システムコントローラ４０は、連写開始の通知を受信したか否かを判定する。受信していない場合、この判定処理を繰り返し行う。
【０１５６】
また、連写開始の通知を受信した場合、システムコントローラ４０は、連写条件に基づいて各部を制御して連写処理を実行し、連写終了の通知を受信したか否かの判定を行う。受信していない場合、連写処理を繰り返し実行し、連写終了の通知を受信した時に、同期連写処理を終了する。
【０１５７】
次に、図２４のフローチャートを参照して、カメラＢ側からの連写準備終了通知を受信してから連写処理を開始する場合の同期連写処理について説明する。最初に、カメラＡ側の同期連写処理について説明する。ＡＦ及びＡＥ処理までは、図２３のフローチャートと同様の処理であり、詳しい説明を省略する。
【０１５８】
ＡＦ処理及びＡＥ処理の終了後、システムコントローラ４０は、シャッタボタン３１が全押しされたか否かの判定を行う。全押しされていないと判定された場合、この判定処理を繰り返し行う。
【０１５９】
全押しされたと判定された場合、Ｄｅｃｏｄｅ／ｅｎｃｏｄｅ処理部６２を制御して、連写条件を示すテキストデータをエンコード処理して、シャッタ音の音声データに重畳して合成音声信号を生成させて、スピーカ２８から擬似シャッタ音を鳴らす。
【０１６０】
その後、システムコントローラ４０は、連写準備完了の通知を受信したか否かを判定する。受信していないと判定された場合、この判定を繰り返し行う。また、受信したと判定された場合、連写開始をカメラＢに通知する処理に進む。この連写開始の通知処理以降は、図２３のフローチャートと同様であり、詳しい説明を省略する。
【０１６１】
次に、カメラＢ側の同期連写処理について説明する。同期連写モードに設定されると、システムコントローラ４０は、Ｄｅｃｏｄｅ／ｅｎｃｏｄｅ処理部６２を制御して、連写条件データが検出されたか否かを判定させる。検出されていないと判定された場合、この判定処理を繰り返し行う。
【０１６２】
また、連写条件データが検出されたと判定された場合、システムコントローラ４０は、連写条件を設定することによって連写準備を行う。連写準備の完了後、システムコントローラ４０は、Ａｕｄｉｏ制御部６１を制御して、連写準備完了を示す音をスピーカ２８から出力させて、カメラＡに対して準備完了を通知する。
【０１６３】
その後、カメラＡから連写開始の通知を受信したか判定する処理に進む。この判定処理以降は、図２３のフローチャートと同様であり、詳しい説明を省略する。
【０１６４】
なお、上記実施形態において、連写条件データをデコードしたデコードデータをシャッタ音の音声信号に重畳して合成音声信号を生成する場合を例に説明を行ったが、シャッタ音に限らず可聴音であれば他の音でも良い。
【０１６５】
また、上記実施形態において、Ａｕｄｉｏｎ制御部及びＤｅｃｏｄｅ／エンコード処理部を設ける場合を例に説明したが、これらを設けずに、システムコントローラが、プログラムによって、これらの処理を実行しても良い。
【０１６６】
さらに、上記実施形態において、本発明のカメラシステムが、第１及び第２撮影装置の２台で構成される場合を例に説明したが、これに限るものではなく、第１撮影装置と、複数台の第２撮影装置とで本発明のカメラシステムを構成しても良い。この場合、第１撮影装置から複数台の第２撮影装置へ連写条件データを送信すれば良い。
【０１６７】
また、上記実施形態において、第１及び第２撮影装置を同一の構成にする場合を例に説明を行ったが、合成音声生成手段、スピーカ、及び第１制御手段を第１撮影装置に設け、マイク、データ検出手段、及び第２制御手段を第２撮影装置に設けて、第１及び第２撮影装置を各々専用の構成としても良い。
【０１６８】
さらに、上記実施形態において、本発明をデジタルカメラに適用した場合を例に説明を行ったが、これに限るものではなく、例えば、カメラ付き携帯電話や監視カメラ等に本発明を適用しても良い。
【図面の簡単な説明】
【０１６９】
【図１】カメラシステムの構成を示す概略図である。
【図２】デジタルカメラの前面側の構成を示す斜視図である。
【図３】デジタルカメラの背面側の構成を示す背面図である。
【図４】デジタルカメラの電気的構成を示すブロック図である。
【図５】ＯＦＤＭ信号を音声信号に重畳した合成音声信号を説明する説明図である。
【図６】カメラシステムの同期連写処理を説明するフローチャートである。
【図７】デジタルカメラの電気的構成を示すブロック図であり、Ｄｅｃｏｄｅ／ｅｎｃｏｄｅ処理部とシステムコントローラ間にバッファメモリを設けた場合を示している。
【図８】カメラシステムの同期連写処理を説明するフローチャートであり、特定のシャッタ音の検出によって、カメラＢが自動的に同期連写モードとなる場合を示している。
【図９】カメラシステムの同期連写処理を説明するフローチャートであり、前回の撮影が正しいか否かを判定する場合を示している。
【図１０】デジタルカメラの電気的構成を示すブロック図であり、タイマー部を設けた場合を示している。
【図１１】カメラシステムの同期連写処理を説明するフローチャートであり、連写のタイミングがずれを補正する場合を示している。
【図１２】デジタルカメラの電気的構成を示すブロック図であり、時計部を設けた場合を示している。
【図１３】カメラシステムの同期連写処理を説明するフローチャートであり、連写のタイミングを時刻情報に基づいて決定する場合を示している。
【図１４】デジタルカメラの電気的構成を示すブロック図であり、無線部を設けた場合を示している。
【図１５】カメラシステムの無線設定処理を説明するフローチャートである。
【図１６】カメラシステムの無線設定処理を説明するフローチャートであり、予め登録された音声データに無線設定情報を重畳して出力する場合を示している。
【図１７】カメラシステムの無線設定処理を説明するフローチャートであり、ＯＦＤＭ変調されたデータの強度を徐々に強くする場合を示している。
【図１８】ＯＦＤＭ信号の強度を説明する説明図である。
【図１９】カメラシステムの無線設定処理を説明するフローチャートであり、補助光によってカメラＡ，Ｂ間でＩＤコードを授受する場合を示している。
【図２０】カメラシステムの無線設定処理を説明するフローチャートであり、ＩｒＤＡによってカメラＡ，Ｂ間でＩＤコードを授受する場合を示している。
【図２１】カメラシステムの無線設定処理を説明するフローチャートであり、カメラＡ，Ｂ間で記録メディアを介してＩＤコードを授受する場合を示している。
【図２２】カメラシステムの無線設定処理を説明するフローチャートであり、カメラＡ，Ｂ間でＬＣＤを介してＩＤコードを授受する場合を示している。
【図２３】カメラシステムの無線設定処理を説明するフローチャートであり、カメラＡからカメラＢに対して，連写の開始及び終了を通知する場合を示している。
【図２４】カメラシステムの無線設定処理を説明するフローチャートであり、カメラＢからカメラＡに対して，連写準備の完了を通知する場合を示している。
【符号の説明】
【０１７０】
１０  カメラシステム
１１，１２，７０，８０，９０，１００  デジタルカメラ
２６  補助光ランプ
２７  マイク
２８  スピーカ
３１  シャッタボタン
３３  記録メディア
３６  ＬＣＤ
４０  システムコントローラ
４４  ＣＣＤ
６１，７１  Ａｕｄｉｏ制御部
６２  Ｄｅｃｏｄｅ／ｅｎｃｏｄｅ処理部
７１ａ  シャッタ音検出部
７１ｂ  通知部
７２  バッファメモリ
８１  タイマー部
９１  時計部
１０１  無線部
【図１】
2008236627.tif 000003
【図２】
2008236627.tif 000004
【図３】
2008236627.tif 000005
【図４】
2008236627.tif 000006
【図５】
2008236627.tif 000007
【図６】
2008236627.tif 000008
【図７】
2008236627.tif 000009
【図８】
2008236627.tif 000010
【図９】
2008236627.tif 000011
【図１０】
2008236627.tif 000012
【図１１】
2008236627.tif 000013
【図１２】
2008236627.tif 000014
【図１３】
2008236627.tif 000015
【図１４】
2008236627.tif 000016
【図１５】
2008236627.tif 000017
【図１６】
2008236627.tif 000018
【図１７】
2008236627.tif 000019
【図１８】
2008236627.tif 000020
【図１９】
2008236627.tif 000021
【図２０】
2008236627.tif 000022
【図２１】
2008236627.tif 000023
【図２２】
2008236627.tif 000024
【図２３】
2008236627.tif 000025
【図２４】
2008236627.tif 000026